(57)【特許請求の範囲】
【請求項１】
複数の移動交換局が互いに連結され、該移動交換局のそれぞれが複数の基地局と連結される移動通信システムで、移動端末加入者と通信相手側の加入者との間のサービス提供中、サービス障害により通信が切断した場合に、移動端末加入者と通信相手側の加入者との通信路を再接続する再接続方法において、
移動端末加入者の移動端末がトラヒック順方向通話チャネルを監視して、連続的なフレーム未受信又はエラー発生フレーム受信に相応するサービス障害が予め設定された第１期間以上継続するかどうか判断する過程と、
サービス障害が予め設定された第１期間以上継続した場合に、移動端末が呼障害と判断する過程と、
呼障害を判断した移動端末の初期化を実行する過程と、
サービス障害が予め設定された第１期間以上継続すると、サービスを提供する移動交換局はサービス提供中の通話相手側の加入者とのサービスチャネルを維持させる過程と、
移動端末の初期化後にサービス障害が解消すると、移動端末が、複数の基地局のうちの一つ及びこれに接続された複数の移動交換局のうちの一つを通じて通信相手側の加入者とサービスを再開するため、一時通話保留状態にある既存呼の接続情報パラメータを含む再接続要求信号を基地局へ送信する過程と、
再接続要求信号に応じて、複数の移動交換局のうちサービス提供中であった移動交換局が、再接続要求した移動端末との新規のサービスチャネルを探索する過程と、
これにより探索された新規のサービスチャネルを、通信相手側の加入者と移動交換局との間に維持されているサービスチャネルに接続させることにより、通信相手側の加入者と移動端末との間のサービスを再開する過程と、を含むことを特徴とする再接続方法。
【請求項２】
再接続要求信号を受信した少なくとも一つの基地局が、サービス提供中であった移動交換局に再接続要求信号を印加して、維持されているサービスチャネルと再接続する請求項１記載の再接続方法。
【請求項３】
サービス障害が予め設定された第１期間以上継続すると、サービスを提供する移動交換局は、サービス提供中の通信相手側の加入者とのサービスチャネルを維持させると共に、サービス再開待機中を表す情報メッセージをその維持されたサービスチャネルを通じて相手側の加入者に提供する過程をさらに含む請求項１記載の再接続方法。
【請求項４】
情報メッセージは案内放送(announcement)又はヌルデータである請求項３記載の再接続方法。
【請求項５】
第１期間は０秒〜数秒である請求項１記載の再接続方法。
【請求項６】
第１期間は、システム初期データとして登録されており、運用者によって変更可能である請求項５記載の再接続方法。
【請求項７】
複数の移動交換局が互いに連結され、該移動交換局のそれぞれが複数の基地局と連結される移動通信システムで、移動端末加入者と通信相手側の加入者との間のサービス提供中、サービス障害により通信が切断した場合に、移動端末加入者と通信相手側の加入者との通信路を再接続する再接続方法において、
通信相手側の加入者とサービス中であった基地局が通話チャネルを監視して、連続的なフレーム未受信又はエラー発生フレーム受信に相応するサービス障害が予め設定された第１期間以上継続するかどうかを判断する過程と、
サービス障害が第１期間以上継続した場合に、基地局が呼障害と判断する過程と、
基地局が呼障害を知らせるメッセージを生成する過程と、
生成した呼障害メッセージを、サービスを提供する移動交換局及び通信相手側の加入者へ伝送する過程と、
呼障害メッセージを受信した移動交換局がサービス提供中である通信相手側の加入者とのサービスチャネルを維持するように要求する過程と、
移動端末加入者の移動端末から、一時通話保留状態にある既存呼の接続情報パラメータを含む再接続要求信号を受信した基地局が、サービスを提供する移動交換局にその再接続要求信号を伝達して、維持されているサービスチャネルとの再接続が行われるようにする過程と、を含むことを特徴とする再接続方法。
【請求項８】
複数の移動交換局が互いに連結され、その移動交換局が各々複数の基地局と連結される移動通信システムで、呼出端末（calling terminal）と被呼出端末（called terminal）のうち少なくとも一つが、一つ以上の基地局と無線で接続されるサービス中、サービス障害により通信が切断した時にサービスを再接続する再接続方法において、
サービス障害が検出されると、サービスを提供する移動交換局は、通信相手側の加入者とのサービスチャネルを維持させる過程と、
基地局と無線で接続された端末が、その接続先の基地局に関する一時通話保留状態にある既存呼の接続情報パラメータを貯蔵する過程と、
サービス障害中の接続情報パラメータを貯蔵した呼出端末又は被呼出端末が、貯蔵している接続情報パラメータを送信する過程と、
接続情報パラメータを受信した少なくとも一つの基地局は、再接続要求信号をサービスを提供する移動交換局に送信することにより、維持されているサービスチャネルと再接続する過程と、を含むことを特徴とする再接続方法。
【請求項９】
無線で基地局と接続された端末が、貯蔵している接続情報パラメータを送信する前にサービス障害検出を行う過程をさらに含む請求項８記載の再接続方法。
【請求項１０】
サービス障害検出過程は、予め設定された第１期間以上サービス障害が継続すると、サービス障害検出と判断するものである請求項９記載の再接続方法。
【請求項１１】
サービス障害検出過程は、基地局と無線で接続された移動端末が手動再接続要求を受けると、サービス障害検出と判断するものである請求項９記載の再接続方法。
【請求項１２】
サービス障害検出過程は、予め設定された第１期間以上サービス障害が継続するか、基地局に無線で接続した加入者の移動端末が手動再接続要求を受けると、サービス障害検出と判断するものである請求項９記載の再接続方法。
【請求項１３】
予め設定された第１期間は０秒〜数秒である請求項１０記載の再接続方法。
【請求項１４】
予め設定された第１期間は０秒〜数秒である請求項１２記載の再接続方法。
【請求項１５】
サービス障害検出過程は、無線で接続された基地局からサービス障害検出情報を受信すると、サービス障害検出と判断する請求項９記載の再接続方法。
【請求項１６】
複数の基地局と複数の移動交換局を有する移動通信システムで、加入者の移動端末と接続した基地局のうち一つと、その基地局に接続する少なくとも一つの移動交換局とを介した通信相手の端末とのサービス中に、サービス障害の発生により通信路を切断した場合の、それら加入者の移動端末と通信相手の端末との間のサービスを再接続する再接続方法において、
加入者の移動端末と接続した基地局のうち一つと接続された少なくとも一つの移動交換局は、当該加入者の移動端末から送信された一時通話保留状態にある既存呼の接続情報パラメータの含まれた再接続要求信号を受信し、該接続情報パラメータが自分と関連しているか判断する過程と、
接続情報パラメータが関連していれば、移動交換局は加入者の移動端末との新規のサービスチャネルを探索する過程と、
移動交換局は、サービス探索された新規サービスチャネルを、通信相手の端末と移動交換局との間で接続中のサービスチャネルに対し接続させる過程と、を含むことを特徴とする再接続方法。
【請求項１７】
新規のサービスチャネル探索前に、移動交換局は、サービス再接続待機中を表す情報メッセージを、通信相手の端末と接続されたサービスチャネルを通じて通信相手の端末に提供する過程をさらに含む請求項１６記載の再接続方法。
【請求項１８】
新規サービスチャネル探索が予め設定された第２期間内に行われないと、移動交換局は、サービス解除を表す情報メッセージを通信相手の端末と移動交換局との間で接続されたサービスチャネルを通じて、通信相手の端末に提供した後、維持されたサービスチャネルを解除する過程をさらに含む請求項１６記載の再接続方法。
【請求項１９】
第２期間は数十秒〜数百秒である請求項１８記載の再接続方法。
【請求項２０】
接続情報パラメータが関連していないと、移動交換局は、その接続情報パラメータの含まれた再接続要求信号を接続情報パラメータと関連する移動交換局に送信する過程をさらに含む請求項１６記載の再接続方法。
【請求項２１】
複数の基地局と複数の移動交換局を有する移動通信システムで、加入者の移動端末に接続する基地局のうち一つと該基地局に接続した少なくとも一つの移動交換局とを介した通話相手の端末とのサービス中に、サービス障害の発生により加入者の移動端末と通話相手の端末との間のサービスを再接続する再接続方法において、
サービス障害中、加入者の移動端末がサービス障害検出情報を送信する過程と、
複数の基地局のうちのサービス提供中であった基地局と接続された移動交換局が、該基地局を通じてサービス障害検出情報を受信することによって、自分の位置登録装置に加入者の移動端末がサービス保留中であることを表す情報を貯蔵する過程と、
サービス可能状態になると、加入者の移動端末が位置登録要求メッセージを送信する過程と、
複数の基地局のうち一つと接続された移動交換局のうち一つが位置登録要求メッセージを受信すると、該移動交換局は、自分の位置登録装置にサービス保留中であることを表す情報が貯蔵されているか判断する過程と、
サービス保留中であることを表す情報が貯蔵されていれば、該移動交換局が加入者の移動端末と新規のサービスチャネルを探索する過程と、
新規のサービスチャネルが探索されると、当該移動交換局はサービス提供中の相手側の加入者とのサービスチャネルと探索された新規のサービスチャネルを接続させて、通話相手側の加入者と移動端末との間のサービスを再開する過程と、を含むことを特徴とする再接続方法。
【請求項２２】
加入者の移動端末が、サービス障害検出情報を送信する前にサービス障害を検出する過程をさらに含む請求項２１記載の再接続方法。
【請求項２３】
サービス障害検出過程において、予め設定された第１期間以上サービス障害が継続すると、サービス障害が検出されたと判断する請求項２２記載の再接続方法。
【請求項２４】
第１期間は０秒〜数秒である請求項２３記載の再接続方法。
【請求項２５】
サービス保留中であることを表す情報を貯蔵する前に、移動交換局がサービス再接続待機中であることを表す情報メッセージを、通信相手側の加入者と接続したサービスチャネルを通じて通信相手側の加入者に提供する過程をさらに含む請求項２１記載の再接続方法。
【請求項２６】
サービスチャネル探索が予め設定された第２期間内に行われないと、移動交換局はサービス解除を表す情報メッセージを、通信相手側の加入者と接続されたサービスチャネルを通じて通信相手側の加入者に提供した後、維持されたサービスチャネルを解除する過程をさらに含む請求項２１記載の再接続方法。
【請求項２７】
予め設定された第２期間は、数十〜数百秒である請求項２６記載の再接続方法。
【請求項２８】
サービス保留中であることを表す情報が貯蔵されていないと、該移動交換局はホーム位置登録器に移動端末のサービス状態を確認するよう要求し、それに対する確認応答を受信する過程をさらに含む請求項２１記載の再接続方法。
【請求項２９】
複数の基地局と複数の移動交換局を備える移動通信システムで移動端末の加入者と通信相手側の加入者との間のサービス提供中にサービス障害が発生した場合に、移動端末の加入者と通信相手側の加入者とを再接続する再接続方法において、
サービス障害が予め設定された第１期間以上続くと、移動交換局のうち一つはサービス提供中の通信相手側の加入者とのサービスチャネルを維持させる過程と、
サービス障害が予め設定された第１期間以上続くと、複数の基地局のうちサービス提供中であった基地局は、サービス障害検出情報を移動端末の加入者と該基地局に接続した移動交換局とに送信する過程と、
その移動端末加入者から、一時通話保留状態にある既存呼の接続情報パラメータを含む再接続要求があると、これに応じて、複数の基地局のうち一つとこれに接続された複数の移動交換局のうち一つが通信相手側の加入者とサービスを再開する過程と、
を含み、サービスを再開する過程は、再接続要求に応じて複数の移動交換局のうちサービス提供中であった移動交換局が、再接続を要求した移動端末との新規のサービスチャネルを探索する過程と、探索された新規のサービスチャネルをサービス提供中の通信相手側の加入者と移動交換局との間のサービスチャネルに接続させて、その通信相手側の加入者と移動端末との間のサービスを再開する過程と、を含むことを特徴とする再接続方法。
【請求項３０】
サービス障害が予め設定された第１期間以上続くと、移動交換局のうち一つはサービス提供中の通信相手側の加入者とのサービスチャネルを維持させると共に、サービス再接続待機中を表す情報メッセージを維持されたサービスチャネルを通じて通信相手側の加入者に提供する過程をさらに含む請求項２９記載の再接続方法。
【請求項３１】
サービスチャネル探索が予め設定された第２期間内に行われないと、移動交換局は、サービス解除を表す情報メッセージを、維持されたサービスチャネルを通じて通信相手側の加入者に提供した後、維持されたサービスチャネルを解除する過程をさらに含む請求項２９記載の再接続方法。
【発明の詳細な説明】
発明の背景
１．技術分野
本発明は、移動通信システムに関し、特に、呼障害時の再接続方法に関する。
２．従来技術
一般に、公衆移動通信網(ＰＬＭＮ：Public Land Mobile Network)では、移動端末(ＭＳ：Mobile Station)と基地局(ＢＳ：BaseStation)との接続が無線環境で行われる。従って、信号伝搬(signal propagation)に不利に影響する無線環境の物理的な特性上、陰影地域(shadow area)に呼サービスが提供されない場合もある。特に、移動電話網では端末を携えている加入者が歩いたり車などで自分の位置を変えるので、一時的に通話断絶が発生することもある。従って、従来の技術では、予め規定された時間の間通話不可能状態が続くと、呼サービス不可能状態と判断し、呼を解除(release)させる。この予め規定された時間を、ＩＳ−９５では約５秒(即ち、１フレーム周期×２７０個)と規定している。このように望まない呼解除が発生すると、発信側の加入者は、その相手側との呼接続を初めから再び行わなければならないという不便さがあった。
このような不便さを改善するために次のような方法が提案されてきた。
(１)米国特許番号第５,５４６,３８２号では、データ通信時伝送障害が発生した場合、続いてサービスを提供するための回線再接続方法を開示している。
(２)米国特許番号第５,２３９,５７１号では、異常終了(abnormal disconnection)によって解除された通信回線の再接続方法を開示している。この方法は、別途の装置を端末機に取り付けるか、又は端末機の変形を通じて具現できる。即ち、発信及び着信情報を貯蔵する端末機内のＲＡＭ(Random Access Memory)を用いて異常呼解除が発生した時自動で呼をセットアップさせる技術である。
(３)米国特許番号第５,５６６,２３６号では、知能網概念を導入した方法であって、呼切断時、近くの通信システム(telecommunication system)、即ちＰＢＸ(Private Branch Exchange)及びCentrex(Centralized PBX Service)を用いて切断された電話通信を再接続する方法が開示されている。
発明の概要
従って、本発明の目的は、移動通信システムで、呼サービス中に呼障害が発生した時、障害呼を自動で再接続させる方法を提供することにある。
本発明の他の目的は、移動通信システムで、通話中に呼障害が発生した時、障害呼を自動で再接続させる方法を提供することにある。
本発明のさらに他の目的は、移動通信システムで、呼サービス中に呼障害が発生した時、障害呼を手動で再接続させる方法を提供することにある。
本発明のさらに他の目的は、ＭＳが呼障害を感知する場合、障害呼を再接続させる方法を提供することにある。
本発明のさらに他の目的は、システム、即ちＢＳ及びＭＳＣ(Mobile Switching Center)が呼障害を感知する場合、障害呼を再接続させる方法を提供することにある。
本発明のさらに他の目的は、ＭＳとシステムとの間の両方向通話チャネルともに異常があり、ＭＳ及びシステムが各々呼障害を感知する場合、障害呼を再接続させる方法を提供することにある。
本発明のさらに他の目的は、ＭＳが呼障害を感知し、位置登録を要求する場合、障害呼を再接続させる方法を提供することにある。
このような目的を達成するために、本発明は、移動通信システムでの呼障害時再接続方法を提供する。その方法は、複数の移動交換局が連結され、前記移動交換局が複数の基地局と各々連結される移動通信システムにおいて、一つ以上の前記基地局を通じて移動端末加入者と相手側の加入者間のサービス提供中サービス障害が発生する場合、前記移動端末加入者と相手側の加入者との通信線路を再接続する方法において、前記サービス障害が予め設定された第１期間以上発生すると、前記移動端末加入者の移動端末が再接続要求信号を送出する過程と、前記再接続要求に応じて前記複数の基地局のうち一つとこれに接続された複数の移動交換局の中一つを通じて前記相手側の加入者との前記サービスを再開する過程と、からなることを特徴とする。
図面の簡単な説明
図１は、本発明の実施形態による移動通信システムの構成図。
図２は、呼解除信号が正常状態で発生するか、又は障害呼によって発生するかのパラメータを示す図。
図３は、一時的な通話保留状態の呼を接続するために用いる再接続要求信号のパラメータを示す図。
図４は、障害呼接続機能が各移動端末に対して付加サービスとして登録されているかを表すパラメータを示す図。
図５は、通常の呼解除信号と障害呼による呼解除信号を区別するためのパラメータを示す図。
図６は、ＩＳ−６３４規格に基づいたＭＳから発信された呼解除のタイミングチャート。
図７は、ＭＳ発信呼過程のタイミングチャート。
図８は、本発明の実施形態によるＭＳ，ＢＳ，ＭＳＣで行う障害呼処理方法を概略的に示すフローチャート。
図９は、ＭＳが障害呼を感知する場合、その障害呼を処理する方法を示すフローチャート。
図１０は、システムが障害呼を感知する場合、その障害呼を処理する方法を示すフローチャート。
図１１は、通話チャネルの両方向ともに異常が発生し、ＭＳ及びＢＳが各々障害呼を感知する場合、その障害呼を処理する方法を示すフローチャート。
図１２は、ＭＳが障害呼を感知し、位置登録を要求する場合の障害呼処理方法を示すフローチャート。
図１３は、従来の技術による呼処理状態の遷移図。
図１４は、本発明の実施形態による呼処理状態の遷移図。
図１５は、呼障害を検出するためのＢＳの構造図。
発明の実施の形態の詳細な説明
以下、本発明に従う好適な実施形態を添付図面を参照しつつ詳細に説明する。
なお、図面中、同一の構成要素及び部分には、可能な限り同一の符号及び番号を共通使用するものとする。
そして、以下の説明では、具体的な特定事項が示しているが、これに限られることなく本発明を実施できることは、当技術分野で通常の知識を有する者には自明である。また、関連する周知技術については適宜説明を省略するものとする。
語彙とその定義
本発明で‘呼サービス中(call service in progress)’とは、音声通信や静止画像、動画像などのデータ通信サービスが行われている状態を意味する。
また、本発明では、一時的呼サービス不可能状態の呼又は呼サービス不可能状態が続く場合の呼を‘障害呼(dropped call)’と定義しており、この障害呼は、呼切断、特定チャネルの雑音、サービス不可能などによって発生する。
ここで、‘呼切断(call disconnection)’とは、予め設定された時間継続して呼が切断された状態を意味する。
本発明の実施形態が適用されるシステムは、北アメリカ方式であるデジタル移動通信システムである。この北アメリカ方式で使用される標準には、ＩＳ−９５、ＩＳ−６３４、ＩＳ−４１系列などがある。特に、本発明は、音声の他に、高品質の音声、高速データ、動画像、インターネット検索などのサービスを提供する３Ｇ(3rd Generation)ＩＳ−９５でも適用可能である。
図１を参照すれば、本発明の一実施形態が適用される移動通信システムは、ＨＬＲ(Home Location Register)８０、ＭＳＣ(ＭＳＣ０ ７０ａ，ＭＳＣ１ ７０ｂ)、ＢＳＣ(Base Station Controller)(ＢＳＣ００ ６４ａ，ＢＳＣ０１ ６４ｂ，ＢＳＣ１０ ６４ｃ)、ＢＴＳ(Base station Transceiver Subsystem)(ＢＴＳ０００ ６２ａ〜ＢＴＳ１０１ ６２ｆ)及びＭＳ ５０を有する。一つのＰＬＭＮには多数のＨＬＲ及びＭＳＣが互いに連動されていて、加入者管理及び呼交換機能を行うよう構成される。図１に示すように、一つのＨＬＲ ８０には多数のＭＳＣ(ＭＳＣ０ ７０ａ，ＭＳＣ１ ７０ｂ)が連結され、各ＭＳＣは多数のＢＳＣに連結され、これらＢＳＣには多数のＢＴＳが連結される。通常、ＢＳは、ＢＳＣとＢＴＳで構成される。
ＭＳＣは、一般公衆電話網(ＰＳＴＮ：Public Switch Telephone Network)及びＰＬＭＮとの接続を制御し、ＢＳＣは無線リンクを制御してハンドオフ機能を果たす。そして、ＢＴＳはＭＳと共に無線通信路を構成し、無線資源を管理し、また、ＨＬＲは加入者位置登録及び加入者情報を貯蔵するデータベースとして機能する。各ＭＳＣは自分の担当する領域に存在するＭＳ情報を一時的に貯蔵するＶＬＲ(Visitor Location Register)を有する。ＭＳが他のサービス領域に移動すると、このＶＬＲに貯蔵された情報も削除される。
このような移動通信システムでは、呼が設定されると該当ＭＳとＢＴＳ間に無線チャネルを割当て、ＢＴＳとＢＳＣ、ＢＳＣとＭＳＣ、ＭＳＣとＰＬＭＮ又はＰＳＴＮのような外部網との間に通話路を形成する。このように呼が設定されて通話が行われている場合、無線環境の特性又は陰影地域などの理由から一定の時間以上呼がとぎれた状態が続くと、通常の移動通信システムでは呼を終了させる。このような陰影地域の問題は、例えばエレベータ、中継装置のないトンネル、隣接セル間に位置した長いトンネル、高層ビル密集地域などで発生する。
これら状況は、本発明の実施形態で定義した障害呼が発生する可能性のある状況であって、図１では参照番号１０，１２，１４，１６の位置に該当する。
参照番号１０，１２，１４は同一のＭＳＣ地域内の障害呼発生位置を示し、参照番号１６は異なるＭＳＣのＢＴＳ間の障害呼発生位置を示す。特に、参照番号１０は、ＢＴＳ０００ ６２ａの領域内でＢＴＳ０００ ６２ａと通話するＭＳ ５０の障害呼発生位置を示し、参照番号１２は、ＢＳＣ００ ６４ａのサービス地域でＢＴＳ０００ ６２ａ又はＢＴＳ００１ ６２ｂと通話するＭＳ ５０の呼障害発生位置を示し、参照番号１４は、ＢＴＳ００１ ６２ｂ又はＢＴＳ０１０ ６２ｃとそれらの境界地域で通話するＭＳ ５０の呼障害発生位置を示す。
図１のＢＳとＭＳＣとは、障害呼の再接続を制御するものであって、場合に応じて同一のアルゴリズムを使用する。
本発明の実施形態による障害呼再接続機能は、次のような２方式によって提供される。(ａ)方式は、全ＭＳの動作を変更することによって、全加入者について無差別的に障害呼接続機能を適用する方式、(ｂ)方式は付加サービスとして各ＭＳ個別に、障害呼機能を提供する方式である。
この(ｂ)の方式は、必要な加入者に限ってサービスを提供することができ、運用事業者からも必要な加入者の端末だけを取り替えるだけで済むために、柔軟に適用が可能である。また、(ａ)の方式は、全加入者端末が障害呼再接続機能を具現できるよう構成されれば可能になる。
本発明の実施形態では、既存の信号を変更するか、又は新規の信号を使用する。以下、使用する信号について説明をする。既存の一信号には呼解除信号があり、通常の呼解除時に使用されている‘Release’信号と‘Release Order’信号とが含まれる。本発明の実施形態では、この信号を用いるか、又はこの信号に新たな機能をさらに加える。ここで‘Release’信号とは、ＢＳとＭＳＣとの間で通信される信号であり、‘Release Order’信号とはＭＳとＢＳとの間で通信される信号である。呼解除信号から呼障害が検出できる場合は、呼解除信号をそのまま使用し、呼解除信号から呼障害が検出できない場合は、図２のようなパラメータを加えて正常な呼解除信号と障害呼による呼解除信号を区別して示す。
このような区別のために、図２では、通常の呼解除信号（‘Release’、‘Release Order’）のフィールドに‘RELEASE_STAT’というパラメータが加えられて、サービス障害検出情報とされている。パラメータ‘RELEASE_STAT’は１ビットで構成され、その値が‘０’であれば、正常な呼解除信号を示し、その値が‘１’であれば、障害呼による呼解除信号を示す。
ここで‘Release’信号と“Release Order’信号が使用される一般のプロトコルの一例を図６に示した。図６は、ＩＳ−６３４規格に基づいたＭＳ発信呼解除動作のフローチャートである。この図６において参照番号２０は、‘Release Order’信号と‘Release’信号を示している。また、同様に障害呼を区別するために、‘Clear’信号に対してパラメータ’RELEASE_STAT’を加えることもでき、その他の手段として新規の信号を使用することもできる。
次いで、本発明の実施形態においては、一時的に通話保留状態となった呼を接続するため、既存の再接続要求信号、即ち‘Reconnection’信号をそのまま使用するか又は変更して用いる。この‘Reconnection’信号は、ＭＳ→ＢＳ、ＢＳ→ＭＳＣ，ＭＳＣ→ＶＬＲ，ＭＳＣ→他のＭＳＣに対する再接続信号である。ＭＳ→ＢＳ，ＢＳ→ＭＳＣの場合は、一般の発信呼(origination call)に用いられるメッセージに、パラメータ‘OLD＿BS＿ID’を加えて使用する。図３を参照すれば、一時通話保留状態にある既存呼の接続情報のパラメータである‘OLD＿BS＿ID’がフィールドに加えられている。この‘OLD＿BS＿ID’は１６ビットであり、既知の発信メッセージ及びセットアップ信号を変形することによって発生される。
図７は、ＭＳ発信呼過程に対する処理フローチャートである。図７において、参照番号３０は、‘Origination Order’信号と‘Setup’信号であって、パラメータ‘OLD＿BS＿ID’が加えられる。
また、本発明の実施形態においては、パラメータ‘DCAR＿FLAG(Drop Call Automation Reconnection flag)’を、図１のＨＬＲ ８０、ＶＬＲ０ ７２ａ及びＶＬＲ１ ７２ｂにさらに加える。このパラメータ‘DCAR＿FLAGは、障害呼再接続機能が各ＭＳ対し付加サービスとして提供されるか否かを示すものであり、図４に示すように１ビットの長さを有する。‘DCAR＿FLAG’が‘０’であれば不活性化状態(０＝ＤＡＣＴ)を示し、‘１’であれば活性化状態(１＝ＡＣＴ)を示す。
さらに、正常な‘Release’信号と障害呼による‘Release’信号を区別し得るパラメータ‘WAITING＿FLAG’を、サービス保留中であることを表す情報として、図１のＶＬＲ０ ７２ａ、ＶＬＲ１ ７２ｂの加入者データにさらに加える。このパラメータ‘WAITING＿FLAG’は、図５に示すように、１ビットの長さを有する。‘WAITING＿FLAG’が‘０’であれば正常な呼解除状態(０＝NORMAL)を、‘１’であれば障害呼による呼解除状態(Ｉ＝DROP)を各々示す。ここで‘WATING＿FLAG’の初期値は‘０’である。
障害呼感知方式
本発明の実施形態による障害呼感知方式は次のようである。
第１例：ＭＳによる感知
ＭＳにより障害呼を感知する場合：ＭＳは、システムからＭＳに向かう通話チャネルの異常に基因する進行中の呼に対する障害を判断する。例えば、ＭＳは、障害発生地域に対する情報（基地局関連情報であり、‘OLD＿BS＿ID’に利用される）を貯蔵し、ＭＳの状態が正常状態に遷移されると、システム(ＢＳ，ＭＳＣ)に呼障害を知らせる方式である。
第２例：システムによる感知
システムが障害呼を感知する場合：この場合、システムが進行中の呼障害を判断する。このとき呼障害は、ＭＳからシステムに向かう通話チャネルの異常に基因する。即ち、システムがＭＳに再接続要求を送って再接続機能を行わせたり、再接続機能を強制的に行うことができる。
第３例
ＭＳとシステム間の両方向通話チャネルともに異常が生じた場合
第４例：
ＭＳから位置登録要求を受信した場合：この場合、呼障害が発生した後、ＭＳは、進行中の呼に対する障害地域の情報無しで通常の状態に遷移し、既存のパラメータとは異なる情報を保持してシステムに呼障害による位置登録を要求するものである。この状態で呼障害が発生すると、通常、ＭＳは初期化された後、加入者(ＭＳ)の位置登録を行う。したがって、加入者位置登録時、ＶＬＲに新規に加えられるパラメータ‘WAITING＿FLAG’が‘１’であれば、もとの呼が再接続される。位置登録は、ＭＳが自分の位置、状態、スロット周期などの情報をＢＴＳに知らせる過程である。
障害呼の処理
以上の障害呼感知方式によって障害呼を処理する方法も変わる。前述の４つの障害呼の感知方式に対応する障害呼処理方法を説明するに先立って、ＭＳ，ＢＳ若しくはＭＳＣの１つ又はこれらの組み合わせで行う障害呼処理方法を、図１及び図８を参照して概略的に説明する。
図８において、１００段階で呼が設定されると、１０１段階の通話中状態に遷移し、１０２段階で呼サービス中(通話中)においてＭＳから手動再接続要求があるか否かを判断する。ＭＳ加入者は、呼サービス時に音声又は画面に雑音が発生するか、ミュート状態になる場合は、本発明の実施形態によって備えられる手動再接続要求キーを用いて手動再接続要求を行うことができる。手動再接続要求キーは特定キーであって、端末機のキーパッドに別に備えられても良く、既に備えられている機能キーを用いて具現しても良く、数字キーの組合せで具現しても良い。
ＭＳからの手動再接続要求がないと、１０４段階で、呼サービス中の通話チャネルでフレームが続いて受信されるかを判断し、フレームが受信されると、１０５段階に進行して受信フレームがエラーを有するか判断する。受信フレームにエラーが存在しないと、１０６段階に移り、未受信又はバッド(bad)フレームを数えるカウンタ(以下、未受信カウンタ(non-reception counter)と略す)がクリア(clear)される。一方、１０５段階で受信フレームにエラーが存在すると、１０８段階で未受信カウンタのカウントを増加させる。その後１１０段階で、未受信カウンタのカウントが、予め設定された時間Timer＿Val１以上かどうかを判断する。この設定時間Timer＿Val１は、障害呼が発生したか否かに対する判断基準であって、システムの運用状態及び加入者の特性によって変更され、数秒単位（０秒〜１０秒）に設定される。望ましいTimer＿Val１は１.２秒であり、従来設定されていた約５秒に比べて短い値である。Timer＿Val１は、システム初期化データとして登録されていて、運用者によって変更もある。つまり、仮に障害呼再接続機能が全ＭＳについて無差別的に登録された場合、Timer＿Val１は各ＭＳに共通適用される一定値として設定されるが、一方、各ＭＳごとに障害再接続機能が提供される場合は、Timer＿Val１は各加入者ごとに異なる値となる。
以下、ＭＳ及びＢＳが呼障害を感知する方法をさらに詳細に説明する。
ＢＳが呼障害を検出する場合
図１５に、呼障害を検出するためのＢＳ側の構造図を示す。図１５を参照すれば、アンテナ１０００を通じて受信されたＣＤＭＡ信号は、ＲＦ＆ＸＣＶＢ(Radio Frequency＆Tranceiver Block)１０２０によって、ＩＦ(Intermediate Frequency)信号に変換される。この変換されたＩＦ信号を、ＣＭＤＢ(CDMA Mod.and Demod.Block)１０４０でＱＣＥＬＰ(Qualcomm Code Excited Linear Predictive coding)のパケットに変換する。この動作時、ＣＭＤＢ １０４０は、ＣＲＣ(Cyclic Redundancy Code)をチェックして、パケットフレームが正常か判断する。この時、異常が発生した場合は、異常表示情報(Quality Matrix：Ｈ’００〜Ｈ’ｆｆ)を変換パケットに加える。この異常表示情報が‘０’であれば、ＴＳＢ １０６０はＣＭＤＢ １０４０から受信したパケットフレームを異常状態と判断する。しかし、‘１’であれば、ＴＳＢ １０６０は受信したパケットフレームをＰＣＭ(Pulse Code Modulation)信号に変換してＭＳＣに伝送する。
そして、ＴＳＢ １０６０がパケットフレームを異常状態と判断すると、連続したエラーの発生及び未受信のフレームをカウントし、最終的に呼障害が発生したか判断する。ここでＴＳＢ １０６０では、２０ms毎に発生するタイマーインタラプトを、フレームを受信したか否かに対する基準として使用する。即ち、２０msインタラプト発生時毎にフレームが受信されるか判断する。
ＴＳＢ １０６０は、ＣＭＤＢ １０４０から出力されるエラー状態のフレーム、即ちバットフレーム(bad frame)を２０個連続して受信すると、障害の前兆と判断する。その後、第１の設定時間において連続して所定数の障害フレームが受信されると、ＴＳＢ １０６０は呼障害と判断する。仮に第１設定時間を２秒とした場合、ＴＳＢ １０６０がエラー状態のフレーム８０個を連続して受信する時、呼障害と判断する。しかし、２個以上の連続的な正常フレームを受信すると、未受信カウンタは初期化されて、ＴＳＢ １０６０は正常状態に戻る。一方、ＴＳＢ １０６０は、第２の設定時間において２０個連続でフレームを受信しないと、呼障害と判断する。ここで、この第２設定時間は、前記の第１設定時間より短い方が好ましい。
ＭＳが呼障害を検出する場合
以下、ＭＳが呼障害を検出する一方法について述べる。ＭＳは通話チャネルの端末機制御状態にある時には常に順方向通話チャネルを監視する。仮に、ＭＳが順方向通話チャネルから連続してＬ個のバッドフレームを受信すると、送信器を停止させる。その後、ＭＳが連続してＭ個のグッドフレーム(good frame)を受信すると、ＭＳは送信器を再作動させる。通話チャネルの端末機制御状態において、ＭＳの通話チャネル初期化副状態(sub−state)で、ＭＳの送信器を起動する時、ＭＳは順方向通話チャネルのフェードタイマー(fade timer)を作動させる。このフェードタイマーは、順方向チャネルから連続してＭ個のグッドフレームを受信すると、Ｎ秒間に再設定される。仮に、フェードタイマーシーケンスの間、連続するグッドフレームが受信されないと、ＭＳは送信器を中断させ、呼障害を宣言する。
図８を参照すれば、前述のようにＭＳ又は／及びＢＳが呼障害発生を感知すると(１０４段階及び１１０段階)、１１２段階に移行して進行中の呼を保留させる。即ち、現在接続中のＭＳとＢＳ間の無線リンク、ＢＳとＭＳＣ間のリンク、ＭＳＣとＰＳＴＮ(又は、他のＭＳＣ)間のリンクなどをそのまま維持させる。必要に応じて、ＭＳとＢＳ間の無線リンク、ＢＳとＭＳＣ間のリンクは解除しても良い。その後、１１４段階に進行して、再接続待機中を表す情報メッセージを通信相手側の加入者又はサービス提供装置に伝送する。情報メッセージは通信相手の電話加入者などに提供されるものであって、一般の音声メッセージ、音楽(music)、トーン(tone)、ミュート(mute)などの形態がある。そして、メッセージはデータ通信加入者及びデータサービス提供装置にヌルデータ状態を提供する。
次いで、１１６段階では、タイマーが所定時間Timer＿Val２に設定される。１１８段階で再接続待機中の状態になると、タイマーは１２０段階で作動する。その後、１２２段階ではタイマーが予め設定された設定時間Timer＿Val２を経過する前に、ＭＳ又はシステム(ＢＳ，ＭＳＣ)から再接続要求又は位置登録要求が受信されるか判断する。タイマー値Timer＿Val２は、呼切断(呼サービス解除)時期を判断する基準であって、数十〜数百秒単位(例えば、１０秒〜１８０秒)に設定することができ、システムの運用状態及び加入者端末の特性によって変更できる。望ましいTimer＿Val２は３０秒〜６０秒である。前述したように、障害呼再接続機能が全ＭＳに無差別的に登録される場合、Timer＿Val２はすべてのＭＳに対して同一の値が設定され、障害呼接続機能が各ＭＳについて個別に提供される場合は、タイマーVal２は各ＭＳで異なる値をとなる。
一方、１２２段階で、Timer＿Val２以内に再接続要求又は位置登録要求があれば、１２４段階に移行してタイマーを中止する。その後、１２６段階で、既存呼が待機状態から解除されて、ＭＳの新規の位置に適した通話チャネルに再接続する。その後、１２８段階で通信相手側の加入者端末又はサービス提供装置に提供されていた情報メッセージを解除する。これにより、ＭＳは通信相手側の加入者端末又はサービス提供装置と呼サービス(即ち、通話)を続いて行うことができる。
しかし、１２２段階でTimer＿Val２以内に再接続要求を受けないと、１３０段階に移行して呼切断を表す情報メッセージを通信相手側の加入者又はサービス提供装置に伝送し、１３２段階で呼を解除する。
以下、障害呼感知方式による障害呼処理方法を図１、及び図８乃至図１２を参照して詳細に説明する。
まず、図９乃至図１２を参照すれば、同ＭＳＣ／ＶＬＲ領域の場合と、異ＭＳＣ／ＶＬＲ領域の場合がある。ここで、同ＭＳＣ／ＶＬＲ領域の場合とは、呼障害時にＭＳが属するＭＳＣ／ＶＬＲと、再接続要求及び位置登録要求時にＭＳが属するＭＳＣ／ＶＬＲとが同じ場合を意味し、異ＭＳＣ／ＶＬＲ領域の場合とは、呼障害時と再接続要求及び位置登録要求時のＭＳの位置が異なるＭＳＣ／ＶＬＲ領域に属する場合を意味する。
第１例：ＭＳにより障害呼感知した場合の障害呼の処理方法
図９は、ＭＳが障害呼を感知する場合の障害呼処理のフローチャートである。この場合はシステムからＭＳに向かう通話チャネルの異常に基因する。
図１及び図９を参照すれば、ＭＳは、呼サービス中(図９の２００段階)、ＭＳ加入者が再接続キーを押すと、この再接続要求を２０１段階で感知し、端末機を初期化させる。また、呼サービス中(２００段階)フレーム未受信による呼障害が発生すると、障害状態が予め設定された時間Timer＿Val１以上続くか判断する(図９の２０２段階)。この設定時間Timer＿Val１を超えて障害状態が続くと、端末機の初期化が行われる(２０４段階)。この時、２０４段階は省略しても良い。
その後、ＭＳの位置移動などによって呼障害現象が解消されると、ＭＳは図３のようなパラメータ‘OLD＿BS＿ID’の加えられた再接続要求信号、即ち‘Reconnect’信号を自分のＢＳに伝送し(２０６段階)、このＢＳは‘Reconnect’信号をＭＳＣに伝送する(２０８段階)。‘Reconnet’信号を受信したＭＳＣは‘Reconnet＿Ack’信号をＢＳに伝送し(２１０段階)、このＢＳは、‘Reconnect＿Ack’信号をＭＳに伝送する(２１２段階)。
その後、ＭＳＣは、呼再接続機能が全ＭＳに無差別的に登録されたか、又は各ＭＳに付加機能として提供されたかを判断する。付加サービスとして提供される場合、ＭＳＣは、自分のＶＬＲに貯蔵されたパラメータ‘DCAR＿FLAG’を分析して、そのＭＳに対し呼再接続機能のサービス提供が登録されていたかを判断する(２１３段階)。呼再接続機能が登録されていないと、呼解除が行われる(２３４段階)。一方、呼再接続機能が登録されている場合、ＭＳＣは、受信した‘Reconnect’信号に含まれたパラメータ‘OLD＿BS＿ID’を分析し、ＭＳが自分のサービスエリア内にいるかどうか判断する。(２１４段階)。加入者が自分のサービスエリア内であれば、ＭＳＣは通信相手側の加入者又はサービス提供装置に対し、再接続待機中であることを表す情報メッセージを提供する(２１６段階)。例えば、ＭＳ ５０がＢＴＳ０００ ６２ａ領域にある時、呼サービス中に障害呼が発生し、ＭＳ ５０が位置を移動してＢＴＳ００１ ６２ｂの領域で再接続を要求した場合、ＭＳＣ０ ７０ａは、ＭＳ ５０を自分のサービスエリア内と認識し、再接続待機中であることを表す情報メッセージを通信相手側の加入者（ＭＳ）又はそのサービス提供装置に提供する。
一方、２１４段階で自分のサービスエリア内にＭＳがいないと、ＭＳＣは、受信した‘Reconnect’信号を他のＭＳＣに伝送する(２１８段階)。この‘Reconnet’信号を受信した新規のＭＳＣは、‘Reconnect＿Ack’信号を、‘Reconnet’信号を伝送してきたＭＳＣに伝送し(２２０段階)、そして、通信相手又はサービス提供装置に、再接続待機中であることを表す情報メッセージを提供する(２２２段階)。例えば、ＭＳ ５０がＢＴＳ０１１ ６２ｄ領域にある時、通話中状態で障害呼が発生し、ＭＳ ５０が位置を移動してＢＴＳ１００ ６２ｅ領域で呼再接続を要求した場合、ＭＳＣ０ ７０ａは、ＭＳ ５０が自分のサービスエリア内でないために、‘Reconnect’信号をＭＳＣ１ ７０ｂに伝送し、ＭＳＣ１ ７０ｂは再接続待機中であるのを表す情報メッセージを通信相手側の加入者（ＭＳ）又はそのサービス提供装置に提供する。
次に、２１６段階又は２２２段階を行った後、ＭＳＣはもとの通信経路を解除し、現在のＭＳの位置に基づいた新規の呼を接続する(２２４段階)。ＭＳが同一のＭＳＣサービス地域にある場合は、ＢＳ間においてハードハンドオフ(hard hand off)方式で、新規の呼を接続する。例えば、ＭＳ ５０がＢＴＳ０００ ６２ａの領域からＢＴＳ００１ ６２ｂの領域に位置を移動して再接続を要求すると、もとの通信路、即ちＭＳ ５０とＢＴＳ０００ ６２ａ間の無線リンク、及びＢＴＳ０００ ６２ａとＢＳＣ００ ６４ａ間のリンクが解除され、ＭＳ ５０とＢＴＳ００１ ６２ｂ間の無線リンク、及びＢＴＳ００１ ６２ｂとＢＳＣ００ ６４ａ間のリンクが接続される。つまり新規のリンクが相手側の加入者端末又はサービス提供装置に接続される。また、ＭＳが他のＭＳＣのサービス地域にある場合は、発信呼がセットアップされ、ＭＳＣ間おいてハードハンドオフ方式により、もとの通信路が解除され、新規呼が接続される。例えば、ＭＳ ５０がＢＴＳ１００ ６２ｅ領域からＢＴＳ０１１ ６２ｄの領域に位置を移動して再接続要求を行うと、もとの通信路、即ちＭＳ ５０とＢＴＳ１００ ６２ｅ間の無線リンク、ＢＴＳ１００ ６２ｅとＢＳＣ１０ ６４ｃ間のリンク、及びＢＳＣ１０ ６４ｃとＭＳＣ１７０ｂ間のリンクが解除される。そして、ＭＳ ５０とＢＴＳ０１１ ６２ｄ間の無線リンク、ＢＴＳ０１１ ６２ｄとＢＳＣ０１ ６４ｂ間のリンク、ＢＳＣ０１ ６４ｂとＭＳＣ０ ７０ａ間のリンク、及びＭＳＣ０ ７０ａとＭＳＣ１ ７０ｂ間のリンクが接続され、これら新規のリンク（すなわち新規のサービスチャネル）は通話相手側の加入者端末又はサービス提供装置に接続される。
このように新規の発信呼が通信相手側の加入者又はサービス提供装置に連結されると、ＭＳＣは再接続待機中であることを表す情報メッセージを解除し(２２６段階)、その後、新規呼が正常に接続されたか判断する(２２８段階)。仮に、正常に接続された場合、ＢＳ，ＭＳＣは、呼サービス中(通話中)の状態に遷移する(２３０段階)。しかし、正常に接続しなかった場合、ＭＳＣは、呼切断を表す情報メッセージを通信相手側の加入者又はサービス提供装置に提供した後(２３２段階)、呼解除動作を行う(２３４段階)。
図９では、図８の１１６段階及び１２２段階で言及したTimer＿Val２に設定されたタイマーが、作動しないことが判る。これは、ＭＳが端末機初期化後直ぐに再接続を要求するために(２０４，２０６段階)、ＢＳは再接続要求後、一定時間が経過するかを判断する必要がないからである。
第２例：システム(ＢＳ，ＭＳＣ)が呼障害を感知する場合の障害呼処理方法
図１０は、システムが障害呼を感知する場合の障害呼処理のフローチャートである。この場合はＭＳからシステムに向かう通話チャネル上の異常に基因する。
図１及び図１０を参照すれば、呼サービス中(図１０の３００段階)にフレーム未受信による呼障害が発生すると、ＢＳは障害状態が予め設定された時間Timer＿Val１を超えるまで続くか判断する(３０２段階)。この設定時間Timer＿Val１を越えて障害状態が続く場合、ＢＳはパラメータ‘RELEASE＿STAT’が‘１’に設定された(即ち、DROP＝１)‘Release Order’信号をＭＳに伝送し(３０４段階)、さらに、この‘DROP(＝１)’の‘RELEASE＿STAT’パラメータを含んだ‘Release’信号をＭＳＣにも伝送する(３０６段階)。その後、この信号を受けたＭＳＣは‘Release Complete’信号をＢＳに伝える(３０８段階)。次いで、ＭＳＣは呼再接続機能が全ＭＳについて無差別に提供されるか、付加サービスとして提供されるか判断する。ここで、付加サービスとして提供される場合、ＶＬＲに蓄積されているパラメータ‘DCAR＿FLAG’を分析して、ＭＳが呼再接続機能を付加サービスされるよう登録してあるか判断する(３０９段階)。無差別的な呼再接続機能が提供されていなかったり、または、付加サービスが登録されていないと、呼を解除する(３３８段階)。しかし、呼再接続機能が登録されていれば、相手側の加入者又はサービス提供装置に対し再接続待機中を表す情報メッセージを提供し、タイマーをTimer＿Val２に設定して作動させる(３１０段階)。
一方、‘１’に設定された(DROP(＝１))パラメータ‘RELEASE＿STAT’が含まれた‘Release Order’信号を、自分のＭＳＣ又は他のＭＳＣから受信したＭＳは、初期化される(３１１段階)。尚、この３１１段階は、ＭＳの初期化過程無しに、使用された通話チャネルを新規の通話チャネルに変えることもできるために、省略しても良い。３１１段階後、ＭＳの位置移動などによって呼サービス不可能状態が解消されると、ＭＳは図３のようなパラメータ‘OLD＿BS＿ID’が加えられた‘Reconnet’信号をＢＳに伝送し(３１２段階)、このＢＳは‘Reconnet’信号をＭＳＣに伝送する(３１４段階)。すると、ＭＳＣは、‘Reconnect’信号に含まれた‘OLD＿BS＿ID’が、自分のサービスエリア内にあるＢＳのＩＤ(identity)を示すか否かを判断する。(３１６段階)。仮に、自分のサービスエリア内のＢＳであれば、ＭＳＣは‘Reconnet＿Ack’信号をＢＳに伝送し(３２２段階)、このＢＳは‘Reconnect＿Ack’信号を該当ＭＳに伝送する(３２４段階)。
一方、３１６段階で、ＭＳＣは、パラメータから自分のサービスエリア内のＢＳでないと判断すると、受信した‘Reconnect’信号を該当ＭＳＣに伝送する(３１８段階)。この‘Reconnet’信号を受信した新規のＭＳＣは‘Reconnect＿Ack’信号を、‘Reconnect’信号を伝送して来たもとのＭＳＣに伝送する(３２０段階)。このもとのＭＳＣは‘Reconnect＿Ack’信号をＢＳに伝送し(３２２段階)、このＢＳは‘Reconnect＿Ack’信号をＭＳに伝送する(３２４段階)。
次に、‘Reconnet＿Ack’信号を伝送したＭＳＣは、もとの通信路解除及び新規呼の接続を行う(３２６段階)。このときＭＳが同一のＭＳＣのサービス地域にあれば、発信呼がセットアップされ、ＢＳ間のハードハンドオフ方式によりもとの通信路が解除され、新規の呼が接続される。そして、ＭＳが異なるＭＳＣのサービス地域にあれば、発信呼がセットアップされ、ＭＳＣ間のハードハンドオフによりもとの通信路が解除され、新規呼が接続される。
その後、ＭＳＣは再接続待機中を表示する情報メッセージを解除させ(３２８段階)、新規呼が相手側の加入者又はサービス提供装置に正常に接続されたか判断する(３３０段階)。正常に接続された場合は、ＭＳ，ＢＳ，ＭＳＣは、呼サービス中の状態に遷移する(３３２段階)。しかし、正常に接続しなかった場合は、ＭＳＣは呼切断情報メッセージを相手側の加入者又はサービス提供装置に提供し(３３６段階)、呼を解除する(３３８段階)。
一方、ＭＳから再接続要求、即ち‘Reconnect’信号が受信されない状態で、既登録及び作動したタイマーが設定時間Timer＿Val２(例えば、３０秒〜６０秒)を経過すると、タイマー動作完了になるが(３３４段階)、この場合もＭＳＣは呼切断情報メッセージを相手側の加入者又はサービス提供装置に提供した後(３３６段階)、呼解除過程を行う(３３８段階)。
図１０では、ＢＳは‘DROP(＝１)’である‘Release Order’信号をＭＳに伝送しているが、‘Release Order’信号の代わりに‘Reconnect’信号をＭＳに伝送しても良い。この場合は、図１０の３１０段階、３１２段階、３２４段階が省略される。
第３例：ＭＳ及びシステムより障害呼を感知する場合の障害呼処理方法
図１１は、ＭＳとシステム間の両方向ともに異常がある場合、障害呼を処理する方法を示すフローチャートである。
図１及び図１１を参照すれば、呼サービス中(図１１の４００段階)にフレームの未受信による呼障害が発生すると、ＢＳ及びＭＳは、障害状態が設定時間Timer＿Val１以上続くかどうか各々判断する(４０１、４０２段階)。
ＢＳは、Timer＿Val１以上障害状態が続くと、‘DROP(＝１)’状態の‘RELEASE＿STAT’パラメータの含まれた‘Release Order’信号をＭＳに伝送し(４０４段階)、‘DROP(＝１)’状態の‘RELEASE＿STAT’パラメータの含まれた‘Release’信号をＭＳＣに伝送する(４０６段階)。後続する図１１の４０６段階〜４３８段階の動作は図１０の３０６段階〜３３８段階の動作と同一であるために、それについての説明は省略する。
第４例：ＭＳから位置登録が要求される時の障害呼の処理方法
図１２は、ＭＳが障害呼を感知して位置登録を要求する場合の障害呼処理方法を示すフローチャートである。この場合は、ＭＳが障害地域の情報無しに正常状態に遷移して、もとのパラメータとは異なる情報を保存し、システムに位置登録を要求する場合である。
図１及び図１２を参照すれば、ＭＳは、呼サービス中(図１２の５００段階)にフレーム未受信による呼障害が発生すると、障害状態が設定時間Timer＿Val１以上続くか判断する(５０２段階)。Timer＿Val１を超えるまで障害状態が続くと、ＭＳは、‘DROP(＝１)’状態の‘RELEASE＿STAT’パラメータの含まれた‘Release Order’信号をＢＳに伝送し(５０４段階)、このＢＳは、‘DROP(＝１)’状態の‘RELEASE＿STAT’パラメータの含まれた‘Release’信号をＭＳＣに伝送する(５０６段階)。すると、ＭＳＣは、まず、呼再接続機能が全ＭＳについて無差別的に提供されるか、又は付加サービスとして提供されるかを判断する。そして、呼再接続機能が付加サービスとして提供される場合は、ＭＳＣ内のＶＬＲにある‘DCAR＿FLAG’を分析して、ＭＳが付加サービスとして呼再接続機能を登録していたが判断する(５０７段階)。仮に、呼再接続機能が無差別的に提供されなかったり、付加サービスとして登録されていない場合は、呼を解除する(５４６段階)。
しかし、呼再接続機能が登録されていれば、ＭＳＣはＶＬＲに‘DROP SET’信号を伝送する(５０８段階)。この‘DROP SET’信号を受信したＶＬＲは、通常の‘Release’と障害呼による‘Release’とを区別するための‘WAITING＿FLAG’を、‘DROP(＝１)’に設定する(５１０段階)。ここで‘DROP(＝１)’は障害呼に対する‘Release’を意味する。‘WAITING＿FLAG’を‘DROP(＝１)’と設定した後、ＶＬＲはＭＳＣに‘DROP CONF(drop comfirmation)’信号を伝送する(５１２段階)。
一方、ＭＳＣは相手側の加入者又はサービス提供装置に再接続待機中を表す情報メッセージを提供し、タイマーをTimer＿Val２に設定して作動させる(５０９段階)。
また、パラメータ‘RELEASE＿STAT’を含んだ‘Release Order’信号をＢＳに伝送したＭＳは、初期化される(５１４段階)。尚、５１４段階は省略しても良い。５１２段階後、ＭＳの位置移動などによって呼障害現象が解消されると、ＭＳは位置登録要求メッセージの‘Registration Message’信号をＢＳに伝送する(５１６段階)。すると、ＢＳは‘Location Updating Request’信号をＭＳＣに伝送し(５１８段階)、ＭＳＣはこれを自分のＶＬＲに送信する(５１９段階)。‘Location Updating Request’信号を受信すると、該当ＶＬＲはＭＳの位置登録値を用いてＭＳが自分のサービスエリア内にあるか判断する(５２０段階)。自分のサービスエリア内にないと、ＶＬＲはＨＬＲ又は他のＶＬＲに対してそのＭＳの呼が進行中であるか確認するよう要求し(５２２段階)、それに対する応答を受信する(５２４段階)。一方５２０段階で、ＭＳが自分のサービスエリア内にあれば、該当ＶＬＲはＭＳに対する‘WATING＿FLAG’のパラメータをチェックする(５２６段階)。‘WAITING＿FLAG’が‘NORMAL(＝０)’と設定されていれば、ＶＬＲは一般の位置登録過程を行う(５３０段階)。しかし、‘WAITING＿FLAG’が‘DROP(＝１)’と設定されていれば、ＶＬＲは‘Reconnect’信号を自分のＭＳＣに伝送する(５２８段階)。
その後、５３１段階で、ＭＳＣは既存経路を解除し、新規の発信呼を連結する。即ち、ＭＳが同一のＭＳＣのサービス地域にあれば、発信呼がセットアップされ、ＢＳ間ハードハンドオフ方式でもとの通信路を解除し、新規の呼を接続する。また、ＭＳが異なるＭＳＣサービス地域にあれば、発信呼がセットアップされ、ＭＳＣ間ハードハンドオフ方式でもとの通信路が解除され、新規の呼を接続する。
その後、ＭＳＣは、自分のＶＬＲに‘DROP UNSET’信号を伝送し(５３２段階)、これに応答してＶＬＲは‘WAITING＿FLAG’パラメータを‘NORMAL(＝０)’に変更する(５３４段階)。その後、ＶＬＲは自分のＭＳＣに‘DROP CONF’信号を伝送する(５３６段階)。すると、ＭＳＣは再接続待機中を表す情報メッセージを解除させ(５３８段階)、新規の呼が相手側の加入者又はサービス提供装置に正常に接続されたか判断する(５４０段階)。正常に接続された場合は、ＭＳ，ＢＳ，ＭＳＣは、呼サービス中の状態に遷移する(５４２段階)。しかし、正常に接続されなかった場合は、呼切断情報メッセージを相手側の加入者又はサービス提供装置に提供し(５４４段階)、呼を解除する(５４６段階)。
一方、ＭＳからの位置登録要求が受信されず、タイマーで設定されたTimer＿Val２(例えば３０秒〜６０秒)を経過すると(５４３段階)、ＭＳＣは呼切断情報メッセージを相手側の加入者又はサービス提供装置に提供した後(５５４段階)、呼を解除する(５４６段階)。
図１３及び図１４は、各々従来の技術と本発明の実施形態による呼処理状態遷移を示す図である。
従来の技術では、図１３に示すように、通話中の状態で解除要求又は一定時間以上、例えば５秒以上続いて呼障害が発生すると、直ぐ呼解除状態に遷移される。これに対し、本発明の実施形態では、図１４に示すように、呼サービス状態で第１時間、例えば数秒(好ましくは、１.２秒)程度呼接続障害が発生すると、再接続要求を待つ待機状態に遷移して再接続要求があれば通話状態に再び遷移される。
しかし、待機状態でも第２時間、例えば数十秒(好ましくは、３０秒〜６０秒)間呼障害が続くと、解除状態に遷移する。また、本発明の実施形態でも呼サービス中又は待機中の状態で解除要求があれば、直ぐ解除状態に遷移する。
以上述べてきたように、本発明は、ＰＬＭＮでの障害呼に対する自動再接続機能を提供するために、エレベータやトンネルなどの一時的通話断絶条件で呼が解除されても初めから再通話を行う不便さが解消できる。従って、移動加入者の通話障害に対する不安を解消する上に、通話品質も向上させられる。
本発明の詳細な説明では具体的例をあげて説明してきたが、本発明の範囲内で様々な変形が可能であるということは勿論である。従って、本発明の範囲は上記の例によって限られるものではなく、請求の範囲とそれに均等なものによって定められるべきである。
【図面の簡単な説明】
【図１】図１は、本発明の実施形態による移動通信システムの構成図。
【図２】図２は、呼解除信号が正常状態で発生するか、又は障害呼によって発生するかのパラメータを示す図。
【図３】図３は、一時的な通話保留状態の呼を接続するために用いる再接続要求信号のパラメータを示す図。
【図４】図４は、障害呼接続機能が各移動端末に対して付加サービスとして登録されているかを表すパラメータを示す図。
【図５】図５は、通常の呼解除信号と障害呼による呼解除信号を区別するためのパラメータを示す図。
【図６】図６は、ＩＳ−６３４規格に基づいたＭＳから発信された呼解除のタイミングチャート。
【図７】図７は、ＭＳ発信呼過程のタイミングチャート。
【図８】図８は、本発明の実施形態によるＭＳ，ＢＳ，ＭＳＣで行う障害呼処理方法を概略的に示すフローチャート。
【図９】図９は、ＭＳが障害呼を感知する場合、その障害呼を処理する方法を示すフローチャート。
【図１０】図１０は、システムが障害呼を感知する場合、その障害呼を処理する方法を示すフローチャート。
【図１１】図１１は、通話チャネルの両方向ともに異常が発生し、ＭＳ及びＢＳが各々障害呼を感知する場合、その障害呼を処理する方法を示すフローチャート。
【図１２】図１２は、ＭＳが障害呼を感知し、位置登録を要求する場合の障害呼処理方法を示すフローチャート。
【図１３】図１３は、従来の技術による呼処理状態の遷移図。
【図１４】図１４は、本発明の実施形態による呼処理状態の遷移図。
【図１５】図１５は、呼障害を検出するためのＢＳの構造図。
【図１】
0003819941.tif 000002
【図２】
0003819941.tif 000003
【図３】
0003819941.tif 000004
【図４】
0003819941.tif 000005
【図５】
0003819941.tif 000006
【図６】
0003819941.tif 000007
【図７】
0003819941.tif 000008
【図８Ａ】
0003819941.tif 000009
【図８Ｂ】
0003819941.tif 000010
【図９】
0003819941.tif 000011
【図１０】
0003819941.tif 000012
【図１１】
0003819941.tif 000013
【図１２】
0003819941.tif 000014
【図１３】
0003819941.tif 000015
【図１４】
0003819941.tif 000016
【図１５】
0003819941.tif 000017